(57)【要約】【課題】シリンダ錠が取り付けられていない状態で閉じられた遊技機の開閉体を開ける開放装置を提供する。【解決手段】本発明の一実施形態は、開放装置であって、長尺状の筒部１１０と、筒部の側面１１３の延長面から突出しない第１の状態と延長面から突出する第２の状態との間で切り替え可能な係合部１５０と、所定の操作によって係合部を第１の状態と第２の状態との間で切り替える操作部１４０と、を備え、第１の状態の場合に遊技機の外部から内部にシリンダ孔を介して挿入できるように構成されており、第２の状態の場合に遊技機の内部において係止機構を解錠するように構成されている。【選択図】図２
2016028629.tif 000002
【特許請求の範囲】
【請求項１】
シリンダ錠を挿入するための孔を有する開閉体と前記開閉体を施錠する係止機構とを備える遊技機の開放装置であって、
所定方向に延在する軸と、該軸を取り囲みかつ前記所定方向に延在する側面とを有する部材と、
前記側面の延長面から前記部材の外側に突出しない第１の状態と前記側面の延長面から前記部材の外側に突出する第２の状態との間で切り替え可能な係合部と、
所定の操作によって前記係合部を前記第１の状態と前記第２の状態との間で切り替える操作部と、
を備え、
前記第１の状態の場合に、少なくとも前記係合部が設けられた領域は前記遊技機の外部から内部に前記孔を介して挿入できるように構成されており、
前記第２の状態の場合に前記遊技機の内部において前記係止機構を解錠するように構成されている
ことを特徴とする開放装置。
【請求項２】
前記操作部と前記係合部とは、シャフトによって接続されていることを特徴とする請求項１に記載の開放装置。
【請求項３】
前記操作部はボタンおよびレバーの一方であり、
前記ボタンおよびレバーの一方に加えられた力が前記シャフトを介して前記係合部に伝えられることによって、前記係合部は前記第１の状態と前記第２の状態との間で切り替えられることを特徴とする請求項２に記載の開放装置。
【請求項４】
前記開放装置が前記第２の状態の場合に、前記係合部は前記係止機構に設けられた被係合孔に挿入されることによって前記係止機構を解錠することを特徴とする請求項１に記載の開放装置。
【請求項５】
前記部材の前記延在方向に沿って伸縮可能であることを特徴とする請求項１に記載の開放装置。
【発明の詳細な説明】
【技術分野】
【０００１】
本発明は、遊技機の前面を覆う開閉体を開放するための開放装置に関する。
【背景技術】
【０００２】
一般的な遊技機には前面に扉状の開閉体が設けられており、該開閉体には施錠のためのシリンダ錠が設けられている。該開閉体が閉じられると、遊技機の内部に設けられた係止機構によって該開閉体は施錠される。この状態において、該シリンダ錠にキーを差し込んで回動操作を行うことによって、該係止機構は解除され、該開閉体を開けることが可能になる。
【０００３】
特許文献１および２には、従来の遊技機に用いられるシリンダ錠の構造が開示されている。図１２は、遊技機９１０に対するシリンダ錠９２０の取り付け方法を示す模式図である。図１２において、矢印によって遊技機９１０の内側方向と外側方向とが示されている。シリンダ錠９２０は、筒部９２１と、筒部９２１の側面よりも突出した固定部９２２および可動部９２３を備える。筒部９２１は遊技機９１０に設けられたシリンダ孔９１１に挿入され、固定部９２２は遊技機９１０の内壁にねじ等の固定部材を用いて固定される。そのため、シリンダ錠９２０は、遊技機９１０の内側からのみ遊技機９１０に設けられたシリンダ孔９１１に取り付け可能である。
【先行技術文献】
【特許文献】
【０００４】
【特許文献１】特開２００８−２７４６３３号公報
【特許文献２】特開２０１２−５５７３９号公報
【発明の概要】
【発明が解決しようとする課題】
【０００５】
遊技機が店舗に納入されると、セキュリティ向上のために遊技機のシリンダ錠は各店舗において交換されることが多い。シリンダ錠の交換時には、遊技機に元々付属していたシリンダ錠を取り外した後に、各店舗が用意したシリンダ錠を取り付ける作業が発生する。その際にシリンダ錠を取り外した状態で上述の開閉体を誤って閉じると、上述の係止機構によって該開閉体は施錠されてしまう。このとき、シリンダ錠が取り付けられていないため、シリンダ錠のキーにより該係止機構を解除することは不可能である。
【０００６】
このように誤って閉じられた開閉体を再び開けるためには、遊技機を固定台（島ともいう）から取り外して背面から係止機構を解除する必要がある。しかしながら、特にパチスロ機（スロットマシン、回胴遊技機ともいう）は固定台にねじ等によって固定されていることが多く、その場合には遊技機を固定台から取り外すために物理的な破壊が伴う。これにより、遊技機の傷付きによる価値低下や遊技機が使用不可になるための機会損失等、多大なコストが発生し得る。そのため、遊技機を固定台から取り外さずに、シリンダ錠が取り付けられていない状態で閉じられた開閉体を開けることを可能にする技術が求められる。
【０００７】
本発明は、上述の問題に鑑みて行われたものであって、シリンダ錠が取り付けられていない状態で閉じられた遊技機の開閉体を開ける開放装置を提供することを目的とする。
【課題を解決するための手段】
【０００８】
本発明の一態様は、シリンダ錠を挿入するための孔を有する開閉体と前記開閉体を施錠する係止機構とを備える遊技機の開放装置であって、所定方向に延在する軸と、該軸を取り囲みかつ前記所定方向に延在する側面とを有する部材と、前記側面の延長面から前記部材の外側に突出しない第１の状態と前記側面の延長面から前記部材の外側に突出する第２の状態との間で切り替え可能な係合部と、所定の操作によって前記係合部を前記第１の状態と前記第２の状態との間で切り替える操作部と、を備え、前記第１の状態の場合に、少なくとも前記係合部が設けられた領域は前記遊技機の外部から内部に前記孔を介して挿入できるように構成されており、前記第２の状態の場合に前記遊技機の内部において前記係止機構を解錠するように構成されていることを特徴とする。
【発明の効果】
【０００９】
本発明によれば、開放装置を係合部が突出していない第１の状態で遊技機の開閉体の外部から挿入し、その後に開放装置を係合部が突出している第２の状態に切り替えることができるため、シリンダ錠が取り付けられていない状態で閉じられた遊技機の開閉体を外部から解錠することが可能である。
【図面の簡単な説明】
【００１０】
【図１】本発明の一実施形態に係る開放装置が利用可能な遊技機の斜視図である。
【図２】本発明の一実施形態に係る遊技機の開放装置の斜視図である。
【図３】本発明の一実施形態に係るシャフトの断面図である。
【図４】本発明の一実施形態に係る非突出状態の開放装置の上面図および下面図である。
【図５】本発明の一実施形態に係る突出状態の開放装置の上面図および下面図である。
【図６】本発明の一実施形態に係る開放装置の動作を示す図である。
【図７】本発明の一実施形態に係る遊技機の開放装置の斜視図である。
【図８】本発明の一実施形態に係るシャフトの断面図である。
【図９】本発明の一実施形態に係る遊技機の開放装置の斜視図である。
【図１０】本発明の一実施形態に係る遊技機の開放装置の断面図である。
【図１１】本発明の一実施形態に係る第１シャフトおよび第２シャフトの側面図である。
【図１２】遊技機に対するシリンダ錠の取り付け方法を示す模式図である。
【発明を実施するための形態】
【００１１】
以下、図面を参照して、本発明の実施の形態を説明するが、本発明は本実施形態に限定されるものではない。なお、以下で説明する図面で、同機能を有するものは同一符号を付け、その繰り返しの説明は省略することもある。
【００１２】
（第１の実施形態）
図１は、本実施形態に係る開放装置１００が利用可能な遊技機１０の斜視図である。図１においては、視認性のために遊技機１０の一部の部材のみを示している。遊技機１０はパチスロ機であり、筐体１１と、開閉体としての前面扉１２とを備える。筐体１１の左端部にはヒンジが設けられており、前面扉１２はヒンジを軸として前後方向に回動する。これにより、前面扉１２は、筐体１１の前面を開放して筐体１１内部へのユーザによる接触を可能にする開位置と、筐体１１の前面を覆って筐体１１内部へのユーザによる接触を制限する閉位置とのいずれかに移動可能である。筐体１１の内部にはリールを有する回胴装置１３が設けられ、回胴装置１３は前面扉１２上の窓１４を介して外部から視認可能である。筐体１１の内部には、突起状の２つの被係止部１５が設けられる。
【００１３】
前面扉１２の裏面（筐体１１側の面）には、係止機構２０が設けられる。係止機構２０は、前面扉１２の裏面に固定されたブラケット２１と、ブラケット２１に対して摺動可能な摺動部材２２とを備える。ブラケット２１は長尺形状を有し、その長手方向が前面扉１２の裏面に沿って延在するように設けられる。摺動部材２２はブラケット２１の長手方向に沿って摺動可能である。摺動部材２２には被係合孔２４が設けられており、被係合孔２４を形成する摺動部材２２の壁面に対して力を与えることによって、摺動部材２２を移動させることができる。
【００１４】
ブラケット２１は、鉤型形状を有する２つの係止部２３を備える。２つの係止部２３は、筐体１１の２つの被係止部１５にそれぞれ対応する位置に設けられる。係止部２３は軸２３ａを介してブラケット２１に回動可能に取り付けられている。これにより、係止部２３は、被係止部１５に噛み合う係止位置と、被係止部１５に噛み合わない解除位置とのいずれかに移動可能である。係止部２３および被係止部１５の数は２に限られず、１以上の任意の数でよい。
【００１５】
係止部２３は摺動部材２２のブラケット２１の長手方向に沿った移動に連動するように設けられている。具体的には、摺動部材２２が下方向（上記長手方向の一方）に移動すると、それに伴って係止部２３は係止位置に移動する。一方、摺動部材２２が上方向（上記長手方向の他方）に移動すると、それに伴って係止部２３は解除位置に移動する。摺動部材２２は不図示のばねによって下方向に付勢されているため、摺動部材２２に対して外力を加えていない状態では係止部２３は係止位置にある。これらの移動方向は一例であり、摺動部材２２の移動によって係止部２３が係止位置又は解除位置に移動可能であれば、任意の構成を用いてよい。
【００１６】
ブラケット２１にはシリンダ錠を挿入するためのシリンダ孔２５が設けられる。前面扉１２にも不図示のシリンダ孔が設けられ、ブラケット２１を前面扉１２の裏面に固定する際に、ブラケット２１のシリンダ孔２５は前面扉１２の前面に連通するように配置される。
【００１７】
前面扉１２が閉じられると、係止位置にある係止部２３が筐体１１の被係止部１５に噛み合うことによって、前面扉１２は施錠される。この施錠は、シリンダ孔２５にシリンダ錠が取り付けられているか否かを問わず発生する。
シリンダ孔２５にシリンダ錠が取り付けられている場合には、シリンダ錠にキーを差し込んで回動させることによって、摺動部材２２は上方向に移動される。その結果、係止部２３は解除位置に移動され、前面扉１２は解錠される。すなわち、シリンダ孔２５にシリンダ錠が設けられていれば、該シリンダ錠におけるキー操作により、係止部２３と被係止部１５とによる施錠は解錠される。
一方、シリンダ孔２５にシリンダ錠が取り付けられていない状態で前面扉１２が閉じられると、上記解錠機能を有する部材が設けられていないままで施錠がなされてしまい、このままでは前面扉１２の施錠を解いて開けることはできない。
【００１８】
これに対して、本実施形態では、上述のようにシリンダ孔２５にシリンダ錠が取り付けられていない状態で前面扉１２が閉じられてしまった場合においては、遊技機１０の外部からシリンダ孔２５に開放装置１００を挿入し、開放装置１００を後述するように動作させることによって、摺動部材２２を上方向に移動させることができる。その結果、係止部２３は解除位置に移動され、前面扉１２は解錠される。
【００１９】
図２は、本実施形態に係る遊技機の開放装置１００の斜視図である。開放装置１００は、上面１１１と、下面１１２と、上面１１１および下面１１２を結ぶ所定方向に延在する軸と、該軸を取り囲みかつ前記所定方向に延在する側面１１３とを有する部材である円筒状の筒部１１０を備える。さらに、開放装置１００は、上面１１１上に設けられた操作部としてのレバー１４０と、下面１１２上に設けられた係合部１５０とを備える。筒部１１０の内部は中空でもよく、所定の材料で満たされてもよい。レバー１４０および係合部１５０は、上面１１１および下面１１２の上ではなく、筒部１１０の上面１１１と下面１１２との間の任意の位置に設けられてもよい。レバー１４０の代わりに、ボタン等の任意の操作部を用いてもよい。
【００２０】
筒部１１０のうち、少なくとも係合部１５０が設けられた領域は、遊技機１０の外部から内部にシリンダ孔２５を介して挿入できるように構成されている。より具体的には、筒部１１０の下面１１２から所定の長さの領域において、筒部１１０の長軸方向に対して垂直な断面の径は、シリンダ孔２５の径よりも小さい。本実施形態において、筒部１１０の長軸方向に対して垂直な断面の径は、筒部１１０の全長の領域にわたって同一であり、シリンダ孔２５の径よりも小さい。開放装置１００は、円筒状ではなく角柱状でもよく、前面扉１２の表面側からシリンダ孔２５に挿入可能な任意の長尺状の形状でよい。
【００２１】
別の形態として、筒部１１０の上面１１１近傍の一部の領域（すなわち、係合部１５０が設けられていない領域）において、筒部１１０の長軸方向に対して垂直な断面の径は、シリンダ孔２５の径よりも大きい。このような構成によれば、開放装置１００をシリンダ孔２５に挿入する際に、開放装置１００を誤って遊技機１０の内部に落としてしまうことを防ぐことができる。
【００２２】
さらに、開放装置１００は、上面１１１および下面１１２を貫通するシャフト１３０を備える。シャフト１３０の中心軸は筒部１１０の長軸方向に平行であり、シャフト１３０は該中心軸に関して回動可能である。
【００２３】
図３は、シャフト１３０をその中心軸を含む面で切断した断面図である。シャフト１３０の両端にはレバー１４０と係合部１５０とが固定されている。そのため、レバー１４０および係合部１５０はシャフト１３０を軸として回動する。ユーザがレバー１４０を回動させることによって、係合部１５０は回動し、開放装置１００は係合部１５０が突出しない非突出状態と、係合部１５０が突出する突出状態とのいずれかをとる。すなわち、本実施形態では、施錠を解錠するように摺動部材２２を移動させる部材である係合部１５０は非突出状態と突出状態とで切替え可能に構成されている。レバー１４０は、係合部１５０の状態を非突出状態と突出状態との間で切替えさせるための部材である。係合部１５０は、回動ではなく、側面１１３の法線方向に直動することによって突出状態に遷移してもよい。また、係合部１５０は回動と直動との両方を行ってもよい。また、係合部１５０を非突出状態又は突出状態に遷移させるために、シャフト１３０の代わりにモータ、アクチュエータ等の駆動部を用いてもよい。
【００２４】
図４（ａ）、（ｂ）は、それぞれ非突出状態の開放装置１００の上面図、下面図である。図４（ａ）、（ｂ）に示すように、非突出状態においては、係合部１５０は下面１１２側から見て側面１１３よりも外側には突出していない。換言すると、本実施形態において非突出状態とは、係合部１５０が筒部１１０の側面１１３を筒部１１０の長軸方向に延長した面（以下、単に延長面という）から、筒部１１０の外側に突出していない状態をいう。
【００２５】
図５（ａ）、（ｂ）は、それぞれ突出状態の開放装置１００の上面図、下面図である。図５（ａ）、（ｂ）に示すように、突出状態においては、係合部１５０は下面１１２側から見て側面１１３よりも外側には突出している。換言すると、本実施形態において突出状態とは、係合部１５０が筒部１１０の側面１１３の延長面から、筒部１１０の外側に突出している状態をいう。
【００２６】
図６は、開放装置１００の動作を示す図である。図６（ａ）は、シリンダ錠がシリンダ孔２５に取り付けられていない状態で、係止機構２０のシリンダ孔２５を含む領域を、前面扉１２の裏面（筐体１１側の面）から見た図である。摺動部材２２の被係合孔２４とブラケット２１のシリンダ孔２５とは近接している。
【００２７】
図６（ａ）の状態において、非突出状態の開放装置１００を前面扉１２の表面（筐体１１の反対側の面）からシリンダ孔２５に挿入する。このとき、開放装置１００のレバー１４０は前面扉１２の表面側に位置し、係合部１５０は前面扉１２の裏面側に位置する。図６（ｂ）は、非突出状態の開放装置１００がシリンダ孔２５に挿入された状態で、係止機構２０のシリンダ孔２５を含む領域を、前面扉１２の裏面から見た図である。このように、非突出状態においては係合部１５０が開放装置１００の側面１１３から突出していないため、係合部１５０が障害にならず、シリンダ孔２５から開放装置１００を挿入できる。
【００２８】
図６（ｂ）の状態において、前面扉１２の表面側においてレバー１４０を回動させる。そうすると、前面扉１２の裏面側において係合部１５０が回動され、開放装置１００は突出状態となる。図６（ｃ）は、開放装置１００を突出状態にした状態で、係止機構２０のシリンダ孔２５を含む領域を、前面扉１２の裏面から見た図である。このように、係合部１５０が非突出状態にある開放装置１００をシリンダ孔２５に挿入した後に突出状態にすると、係合部１５０が摺動部材２２の被係合孔２４に挿入される。この状態で、レバー１４０をさらに回動させる又は開放装置１００自体を回動させることによって、摺動部材２２を上方向に移動させることができる。その結果、係止部２３は解除位置に移動され、前面扉１２は解錠される。
【００２９】
以上に述べたように、本実施形態に係る開放装置１００は、ユーザがレバー１４０（操作部）を操作することによって、係合部１５０が開放装置１００の側面１１３から突出していない非突出状態と、係合部１５０が開放装置１００の側面１１３から突出している突出状態との間で切り替え可能である。非突出状態の開放装置１００は、遊技機１０の外部からシリンダ孔２５に挿入可能である。突出状態の開放装置１００は、遊技機１０の内部において係合部１５０により係止機構２０を解除可能である。このような作用を実現できる範囲において、開放装置１００には大きさ、形状、操作等について任意の変更を加えることができる。
【００３０】
開放装置１００は、非突出状態においては係合部１５０が開放装置１００の側面１１３の延長面から突出していないため、前面扉１２が閉じた状態においても、前面扉１２の表面側からシリンダ孔２５に挿入できる。そして、開放装置１００をシリンダ孔２５に挿入した状態でレバー１４０を操作することによって、前面扉１２が閉じた状態においても、前面扉１２の表面側から前面扉１２を解錠できる。このような構成により、シリンダ孔２５にシリンダ錠が取り付けられていない状態で誤って前面扉１２が施錠されてしまった場合に、遊技機１０を固定台（島）から取り外すことなく、開放装置１００を用いて素早く前面扉１２を解錠可能である。そのため、遊技機１０を固定台から取り外すときに発生し得る傷を防ぐことができる。
【００３１】
さらに、遊技機１０は市場に大量に流通しているため、従来のシリンダ錠および係止機構の構造を変えないことが望ましい。開放装置１００による解錠動作には従来のシリンダ孔２５や係止機構（摺動部材２２、係止部２３など）を用いることができる。よって、従来の遊技機１０の構成を変更することなく開放装置１００を利用可能である。
【００３２】
（第２の実施形態）
遊技機の前面扉の厚さは、遊技機の種類によって異なるため、それに伴ってシリンダ孔の深さが異なる。第１の実施形態に係る開放装置１００は固定の長さを有しているため、所定の長さよりも厚い前面扉を有する遊技機には適用できない場合がある。それに対して、本実施形態に係る開放装置２００は伸縮可能である。
【００３３】
図７は、本実施形態に係る遊技機の開放装置２００の斜視図である。図７（ａ）は縮んだ状態の開放装置２００を示し、図７（ｂ）は伸びた状態の開放装置２００を示す。開放装置２００において、筒部１１０は上面１１１側の上面側筒部１６０と下面１１２側の下面側筒部１７０とに分かれている。上面側筒部１６０は凸状の雄ねじ部１６１を備える。下面側筒部１７０は凹状の雌ねじ部１７１を備える。雄ねじ１６１は雌ねじ部１７１に螺合する。このような構成により、上面側筒部１６０と下面側筒部１７０とをそれらの中心軸に関して互いに回動させることによって、開放装置２００は該中心軸に沿って伸縮する。上面側筒部１６０および下面側筒部１７０において、雄ねじ部１６１と雌ねじ部１７１とは逆に設けられてもよい。開放装置２００がその中心軸に沿って伸縮可能であれば、その他の伸縮機構を用いてもよい。
【００３４】
シャフト１３０の中心軸は筒部１１０の長軸方向に平行であり、シャフト１３０は該中心軸に関して回動可能である。第１の実施形態とは異なり、シャフト１３０は、筒部１１０の伸縮に合わせて伸縮可能である。図８（ａ）は、シャフト１３０をその中心軸を含む面で切断した断面図である。図８（ｂ）は、シャフト１３０を図８（ａ）のＡ−Ａ線で切断した断面図である。
【００３５】
シャフト１３０は、円筒状の外側シャフト１３１と、外側シャフト１３１の内壁に接する棒状の内側シャフト１３２とを備える。外側シャフト１３１は、その中心軸に沿って延在する凹部１３１ａを有する。内側シャフト１３２は、その中心軸に沿って延在する凸部１３２ａを有する。凸部１３２ａは凹部１３１ａに嵌合しているため、外側シャフト１３１をシャフト１３０の中心軸に関して回転させると、該回転とともに内側シャフト１３２は回転する。このような構成により、外側シャフト１３１と内側シャフト１３２とはシャフト１３０の中心軸方向に沿って互いに独立して摺動可能であるとともに、外側シャフト１３１と内側シャフト１３２とは該中心軸方向に関して同時に回転する。そのため、レバー１４０の回動と係合部１５０の回動とは連動する。外側シャフト１３１および内側シャフト１３２において、凹部１３１ａと凸部１３２ａとは逆に設けられてもよい。シャフト１３０がその中心軸に沿って伸縮可能であり、かつシャフト１３０の両端に設けられたレバー１４０および係合部１５０の回動が連動するものであれば、その他の伸縮機構を用いてもよい。
【００３６】
本実施形態では、第１の実施形態と同様の作用を実現可能であるとともに、開放装置２００は伸縮可能であるため、シリンダ孔の深さの如何を問わず、より多くの種類の遊技機に適用できる。
【００３７】
（第３の実施形態）
第１の実施形態ではレバーを用いて係合部の操作を行うが、本実施形態ではボタンを用いて係合部の操作を行う。図９は、本実施形態に係る遊技機の開放装置３００の斜視図である。図９（ａ）は非突出状態の開放装置３００を示し、図９（ｂ）は突出状態の開放装置３００を示す。
【００３８】
開放装置３００は、上面３１１、下面３１２および側面３１３からなる円筒状の筒部３１０と、上面３１１上に設けられた操作部としてのボタン３４０と、該ボタン３４０の操作により側面３１３から突出が可能な係合部３５０とを備える。ボタン３４０は、上面３１１上ではなく、側面３１３上に設けられてもよい。
【００３９】
筒部３１０の下面３１２から所定の長さの領域において、筒部３１０の長軸方向に対して垂直な断面の径は、シリンダ孔２５の径よりも小さい。開放装置３００は、円筒状ではなく角柱状でもよく、前面扉１２の表面側からシリンダ孔２５に挿入可能な任意の形状でよい。
【００４０】
筒部３１０の内部は中空であり、側面３１３の一部には切り欠き部３１４が設けられる。筒部３１０の内部空間は切り欠き部３１４を介して外部空間に連通している。
【００４１】
ボタン３４０は、非押下状態において押下されると押下状態に保持され、押下状態において押下されると非押下状態に保持されるプッシュロックスイッチ（オルタネートスイッチともいう）である。ボタン３４０が非押下状態の場合に、図９（ａ）のように開放装置３００は非突出状態となり、係合部３５０は筒部３１０の内部に格納される。一方、ボタン３４０が押下状態の場合に、図９（ｂ）のように開放装置３００は突出状態となり、係合部３５０は切り欠き部３１４を介して筒部３１０の外部に突出する。
【００４２】
図１０（ａ）は、非突出状態の開放装置３００を図９（ａ）のＢ−Ｂ線で切断した断面図である。図１０（ｂ）は、突出状態の開放装置３００を同様に切断した断面図である。筒部３１０の内部には第１シャフト３３０が設けられ、係合部３５０は第１シャフト３３０の側面に固定される。第１シャフト３３０の中心軸は、筒部３１０の長軸方向に平行である。係合部３５０の第１シャフト３３０を囲む部分には、らせん状の第１外歯部３５１が設けられる。
【００４３】
さらに、筒部３１０の内部には第２シャフト３８０が設けられる。第２シャフト３８０の一端（紙面に対して手前側）にはボタン３４０が接続されており、ボタン３４０が押下されると第２シャフトはその中心軸に沿って移動する。第２シャフト３８０の中心軸は、筒部３１０の長軸方向に平行である。第２シャフト３８０の側面には、らせん状の第２外歯部３８１が設けられる。
【００４４】
第１外歯部３５１と第２外歯部３８１とは、はすば歯車のように噛み合うように構成されており、第２外歯部３８１に加えられる動力は係合部３５０に伝えられる。それにより、ボタン３４０の押下によって、係合部３５０は筒部３１０の内部に格納され、又は筒部３１０の外部に突出する。
【００４５】
図１１（ａ）、（ｂ）は、第１シャフト３３０および第２シャフト３８０の側面図である。第２シャフト３８０の一端にはボタン３４０が接続される。第２シャフト３８０は、ボタン３４０が押下方向又は非押下方向に移動する際に、第２シャフト３８０の長手方向に沿って同じ方向に移動するように構成されている。第１シャフト３３０は、その中心軸に関して回転可能である。
【００４６】
図１１（ａ）は、ボタン３４０が非押下状態の場合を示す。非押下状態のボタン３４０が押下状態に遷移する場合に、ボタン３４０の押下方向の移動に伴って第２シャフト３８０はボタン３４０とは反対方向Ｃに移動され、第２外歯部３８１から第１外歯部３５１に動力が伝わり、第１シャフト３３０がその中心軸に関して第１方向Ｄに回転する。これにより、第１シャフト３３０に固定された係合部３５０が回転して開放装置３００は突出状態となる。このとき、ボタン３４０は押下状態に保持される。
【００４７】
図１１（ｂ）は、ボタン３４０が押下状態の場合を示す。押下状態のボタン３４０が再び非押下状態に遷移する場合に、ボタン３４０の非押下方向の移動に伴って第２シャフト３８０はボタン３４０の方向Ｅに移動され、第２外歯部３８１から第１外歯部３５１に動力が伝わり、第１シャフト３３０がその中心軸に関して上記第１方向とは逆の第２方向Ｆに回転する。これにより、第１シャフト３３０に固定された係合部３５０が回転して開放装置３００は非突出状態となる。このとき、ボタン３４０は非押下状態に保持される。
【００４８】
第１外歯部３５１および第２外歯部３８１のピッチおよび大きさは、ボタン３４０の押下による移動距離および係合部３５０の必要な回転角度を勘案して決定される。具体的には、ボタン３４０が押下状態にある場合に係合部３５０が筒部３１０の側面３１３から突出し、ボタン３４０が非押下状態にある場合に係合部３５０が筒部３１０の側面３１３から突出しないように、第１外歯部３５１および第２外歯部３８１のピッチおよび大きさは設定される。
【００４９】
本実施形態では、第１の実施形態と同様の作用を実現可能であるとともに、ボタン３４０を押下する度に開放装置３００を突出状態と非突出状態とで切り替えることができるため、より簡便な操作で遊技機１０の前面扉１２を解錠可能である。
【００５０】
本発明は、上述の実施形態に限定されることなく、本発明の趣旨を逸脱しない範囲において適宜変更可能である。
【符号の説明】
【００５１】
１２  前面扉
２０  係止機構
２５  シリンダ孔
１００、２００、３００  開放装置
１１０、３１０  筒部
１１１、３１１  上面
１１２、３１２  下面
１１３、３１３  側面
１３０  シャフト
１３１  外側シャフト
１３２  内側シャフト
１４０、３４０  操作部
１５０、３５０  係合部
【図１】
2016028629.tif 000003
【図２】
2016028629.tif 000004
【図３】
2016028629.tif 000005
【図４】
2016028629.tif 000006
【図５】
2016028629.tif 000007
【図６】
2016028629.tif 000008
【図７】
2016028629.tif 000009
【図８】
2016028629.tif 000010
【図９】
2016028629.tif 000011
【図１０】
2016028629.tif 000012
【図１１】
2016028629.tif 000013
【図１２】
2016028629.tif 000014